【手続補正書】
【提出日】平成20年8月8日(2008.8.8)
【手続補正１】
【補正対象書類名】明細書
【補正対象項目名】特許請求の範囲
【補正方法】変更
【補正の内容】
【特許請求の範囲】
【請求項１】
電子写真装置用のフューザ部であって、前記フューザ部は、
２つの側面を有する筐体と、
前記筐体内に回転可能に装着されたフューザローラと、
スカイブプレートであって、
前面、後面、および２つの側面を有するベースプレートと、
前記ベースプレートの前記前面に渡って間隔を開けて装着された複数のスカイブであって、前記スカイブプレートが前記筐体内の動作可能な位置にある時に前記スカイブは前記フューザローラの上に乗るような位置であり、これによって紙が前記フューザローラの上を通過する時に前記紙を前記フューザローラから引きはがす、前記複数のスカイブと、
前記ベースプレートの前記２つの側面の各々に装着された前方のラッチピンと後方のラッチピンと
を有する前記スカイブプレートと、
設置の間に前記スカイブが前記フェーザローラに接触し前記フェーザローラを破損することを防ぎながら、前記スカイブプレートを前記筐体内の動作可能な位置に導く、前記筐体上のガイドアセンブリと、
前記スカイブプレートが前記筐体内の動作可能な位置にある時に、前記前方のラッチピンと前記の後方のラッチピンを前記筐体に解放可能にラッチする、前記筐体上のラッチ機構と
を備えたフューザ部。
【請求項２】
電子写真装置のフューザ部内のローラから紙をはがすスカイブプレートであって、前記スカイブプレートは、
前面、後面、および２つの側面を有するベースプレートと、
前記ベースプレートの前記前面に渡って間隔を開けて装着された複数のスカイブであって、前記スカイブプレートが前記フューザ部の動作可能な位置にある時に前記ローラの上に乗る位置にある、前記複数のスカイブと、
前記ベースプレートの前記２つの側面の各々の上に装着されそこから伸びる前方のラッチピンであって、前記フューザ部の前方のラッチ移動止めによってそれぞれ受け止められるように構成された、前記前方のラッチピンと、
前記ベースプレートの前記２つの側面の各々の上に装着されそこから伸びる後方のラッチピンであって、前記前方のラッチピンから間隔を開けた位置にあり、前記フューザ部の後方のラッチ移動止めによってそれぞれ受けられるように構成された後方のラッチピンと、
前記ベースプレートの前記後部の一部に渡って伸び、前記スカイブプレートが前記筐体内で動作可能な位置にある時に冷却グリル上に乗るように構成されたくぼみと
を備えたスカイブプレート。
【請求項３】
スカイブプレートを電子写真装置のフューザ部の中に設置する方法であって、前記フューザ部は中に装着されたフューザローラを有し、前記スカイブプレートはその上に複数のスカイブおよび、前方のラッチピンと後方のラッチピンとを有し、前記方法は、
前方のラッチピンをフューザ部上に備えられたそれぞれのガイドトラック内に置くことと、
前記スカイブプレートを比較的水平な位置に維持しながら、前記スカイブプレートを前記フューザローラに向かって順方向に動かし、前記前方のラッチピンを前記ガイドトラック内で順方向で下向きに動かし、これによって、前記プレートが前記フューザ部内の動作可能な位置に向かって動いている時に前記スカイブが前記フューザローラに触れないように（clear of）維持することと、
前記前方のラッチピンをラッチさせる前に、前記後方のラッチピンを前記フューザ部の中の前記スカイブプレート上にラッチさせることと、
前記後方のラッチピンを前記フューザ部の前記スカイブプレート上にラッチさせ、これによって、前記スカイブを前記フューザローラの上に乗せ前記スカイブプレートを前記フューザ部内に解放可能に支持させることと
を含む前記方法。
【手続補正２】
【補正対象書類名】明細書
【補正対象項目名】００２５
【補正方法】変更
【補正の内容】
【００２５】
下のスカイブプレート３５を除去するには、上記の手順を逆にする。プレート３５の前面を持ち上げ、ピン４４を前方の移動止め４８のくぼみ４８ｃから外し（cam）、プレート３５の前面のラッチを筐体３０から外す。プレート３５はついでフューザローラ２１から後ろ向きに外される。プレート３５の前面のラッチが外され、ピン４４が前方の移動止め４８から持ち上げられてから、後部のピン４５のラッチを外すようにするために、くぼみ４９ｃの下側は、これを困難にする角度である。さらに、後部の移動止め４９の移動は、前部のピン４４のラッチが外され、プレート３５が後方に動かされるまで、移動止め４９がストップ６６（図６）に対して「底に付いている（bottomed−out）」時、後部のピン４５がくぼみ４９ｃから外れないように限定されている。
電子写真装置用のフューザ部であって、前記フューザ部は、２つの側面を有する筐体と、前記筐体内に回転可能に装着されたフューザローラと、スカイブプレートであって、前面、後面、および２つの側面を有するベースプレートと、前記ベースプレートの前記前面に渡って間隔を開けて装着された複数のスカイブであって、前記スカイブプレートが前記筐体内の動作可能な位置にある時に前記スカイブは前記フューザローラの上に乗るような位置であり、これによって紙が前記フューザローラの上を通過する時に前記紙を前記フューザローラから引きはがす、前記複数のスカイブと、前記ベースプレートの前記２つの側面の各々に装着された前方のラッチピンと後方のラッチピンとを有する前記スカイブプレートと、設置の間に前記スカイブが前記フェーザローラに接触し前記フェーザローラを破損することを防ぎながら、前記スカイブプレートを前記筐体内の動作可能な位置に導く、前記筐体上のガイドアセンブリと、前記スカイブプレートが前記筐体内の動作可能な位置にある時に、前記前方のラッチピンと前記の後方のラッチピンを前記筐体に解放可能にラッチする、前記筐体上のラッチ機構とを備えたフューザ部である。
前記ラッチ機構は、前記筐体の前記２つの側面の各々で、前記スカイブプレートの前記前方のラッチピンをそれぞれ受けるように構成された前方の開放可能なラッチと、前記筐体の前記２つの側面の各々で、前記前方の開放可能なラッチのそれぞれから間隔を開けた位置に置かれ、前記スカイブプレートの前記後方のラッチピンをそれぞれ受けるように構成された後方の開放可能なラッチとを具備する。
前記前方の開放可能なラッチは、前記スカイブプレートが前記筐体内の動作可能な位置にある時、前記スカイブプレート上の前記前方のラッチピンを受けるように構成されたくぼみを上端に近い所に有する、前記筐体上に枢動可能に装着された第１のアームと、前記第１のアームをラッチされた位置に向けてノーマルバイアスするばねとを具備し、前記後方の解放可能なラッチは、前記スカイブプレートが前記筐体内の動作可能な位置にある時、前記スカイブプレート上の前記後方のラッチピンを受けるように構成されたくぼみを有する、前記筐体内に枢動可能に装着された第２のアームと、前記第２のアームをラッチされた位置に向けてノーマルバイアスするばねとを具備する。
前記ガイドアセンブリは、前記フューザローラに隣接し、前記筐体の前記２つの側面の各々の上に位置する前方のガイド要素であって、前記スカイブプレートが設置される時、前記前方のラッチピンを前記フューザローラに向かって下向きに導くように構成されたトラックを有する前方のガイド要素と、前記筐体内の前記２つの側面の各々の上に位置し、前記前方のガイド要素のそれぞれから間隔を開けた位置にある後方のガイド要素とを具備する。
前記前方の要素内の前記トラックは垂直に対して鋭角の傾きに傾いている。
前記角度は約４５°である。
前記フューザローラの下流で前記フューザローラに隣接した位置で、前記筐体の中にある冷却グリルを含む請求項５に記載のフューザ部であって、前記スカイブプレートは前記ベースプレートの前記後部の一部に渡ってくぼみを有し、前記くぼみは前記スカイブプレートが前記筐体内で動作可能な位置にある時に前記冷却グリルの上に乗るように構成され、これによって、前記冷却グリルからの空気が前記ベースプレートを通じて流れ、紙が前記ベースプレート上を通過する時に前記紙を冷却することが可能である。
電子写真装置のフューザ部内のローラから紙をはがすスカイブプレートであって、前記スカイブプレートは、前面、後面、および２つの側面を有するベースプレートと、前記ベースプレートの前記前面に渡って間隔を開けて装着された複数のスカイブであって、前記スカイブプレートが前記フューザ部の動作可能な位置にある時に前記ローラの上に乗る位置にある、前記複数のスカイブと、前記ベースプレートの前記２つの側面の各々の上に装着されそこから伸びる前方のラッチピンであって、前記フューザ部の前方のラッチ移動止めによってそれぞれ受け止められるように構成された、前記前方のラッチピンと、前記ベースプレートの前記２つの側面の各々の上に装着されそこから伸びる後方のラッチピンであって、前記前方のラッチピンから間隔を開けた位置にあり、前記フューザ部の後方のラッチ移動止めによってそれぞれ受けられるように構成された後方のラッチピンと、前記ベースプレートの前記後部の一部に渡って伸び、前記スカイブプレートが前記筐体内で動作可能な位置にある時に冷却グリル上に乗るように構成されたくぼみとを備えたスカイブプレートである。
前記ベースプレートの前記前面の下面から下向きに伸びるタブであって、前記フューザ部内のデカーラローラと係合し、設置の間前記スカイブが前記フューザローラと接触することを防ぐように構成されたタブを含む。
スカイブプレートを電子写真装置のフューザ部の中に設置する方法であって、前記フューザ部は中に装着されたフューザローラを有し、前記スカイブプレートはその上に複数のスカイブおよび、前方のラッチピンと後方のラッチピンとを有し、前記方法は、前方のラッチピンをフューザ部上に備えられたそれぞれのガイドトラック内に置くことと、前記スカイブプレートを比較的水平な位置に維持しながら、前記スカイブプレートを前記フューザローラに向かって順方向に動かし、前記前方のラッチピンを前記ガイドトラック内で順方向で下向きに動かし、これによって、前記プレートが前記フューザ部内の動作可能な位置に向かって動いている時に前記スカイブが前記フューザローラに触れないように（clear of）維持することと、前記前方のラッチピンをラッチさせる前に、前記後方のラッチピンを前記フューザ部の中の前記スカイブプレート上にラッチさせることと、前記後方のラッチピンを前記フューザ部の前記スカイブプレート上にラッチさせ、これによって、前記スカイブを前記フューザローラの上に乗せ前記スカイブプレートを前記フューザ部内に解放可能に支持させることとを含む前記方法である。
前記前方のラッチピンは約４５°の角度で前記ガイドトラック内を順方向で下向きに移動する。
前記後方のラッチピンが前記フューザ部にラッチされるまで、前記スカイブは前記フューザローラに接触しないままである。
前記スカイブプレートを前記フューザ部から除去することを含む方法であって、前記スカイブプレートを前記フューザ部から除去することは、今度は（in turn）、前記前方のラッチピンのラッチを前記フューザ部から外し、前記スカイブを前記フューザローラから持ち上げて取り除くことと、前記スカイブプレートを実質的に水平な位置に維持しながら前記後方のラッチピンのラッチを前記フューザ部から外し、前記スカイブプレートを上に動かし、前記スカイブプレートを前記フューザ部から除去することとを含む。